(57)【要約】【課題】閉扉完了間際の扉の動きを緩やかにする。【解決手段】扉枠の上部の水平枠部１２に沿って移動可能とされた支持手段３４によって、垂直軸線の周りで回動可能に支持された扉２０と、水平枠部に平行に取り付けられたラック８４と、水平枠部１２に対し直角方向に延びる軸線を中心に回転可能にして支持手段３４に取り付けられ、ラックに噛合し、扉が開扉位置と閉扉位置との間で変位するときに該軸線を中心に回転するピニオン８２と、該ピニオンの回転に伴って、該ピニオンの回転に対する制動作用を生じる制動装置８１と、扉が該閉扉位置の所定手前位置から該閉扉位置に至るときに、水平枠部１２に平行な方向における支持手段３４の変位量に対するラック及びピニオン間の相対的変位量を、扉が該閉扉位置の所定手前位置に至るまでよりも大きくして該ピニオンの回転数を増大させることにより該制動装置による制動作用を増大させるラック・ピニオン操作手段とを有する。【選択図】図6
2007218005.tif 000002
【特許請求の範囲】
【請求項１】
扉の回動制動装置であって、
該扉が、開口部を画定する扉枠の上部及び下部の少なくとも一方の水平枠部に沿って移動可能とされた支持手段によって、垂直軸線の周りで回動可能に支持され、
該支持手段が該水平枠部の両端間の所定の位置にあり、且つ、該扉が該水平枠部に平行にされて該開口部を閉じる閉扉位置と、
該支持手段が該水平枠部の該一方の端部に近接して且つ該扉が該水平枠部に対して大きく角度をなして該開口部を開放する開扉位置と
の間で回動しながら変位し、該開口部の開閉を行うようにされており、
該扉の回動制動装置が、
該支持手段に取り付けられた制動手段であって、静止部材と、該静止部材に対して相対的に動く可動部材とを有し、該可動部材の該静止部材に対する相対速度の大きさに応じた制動力を、該可動部材にかけるようにされた制動手段と、
該扉が該閉扉位置に向かって変位するときに、該扉の該水平枠部に沿った直線方向での運動及び該垂直軸線の周りでの回転運動の少なくとも一方の運動に基づき該可動部材を動かすための駆動手段であって、該扉が該閉扉位置の所定手前位置から該閉扉位置に至るときに、該一方の運動を増幅して、該可動部材に伝達し、該可動部材を該静止部材に対して相対的に動かすようにした駆動手段と
を有することを特徴とする扉の回動制動装置。
【請求項２】
該駆動手段が、
該水平枠部に平行に延びるように該水平枠部に取り付けられたラックと、
該水平枠部に対し直角方向に延びる軸線を中心に回転可能にして該支持手段に取り付けられ、該可動部材に駆動連結され、該ラックに噛合し、該扉が閉扉位置に向けて変位するときに、該軸線を中心に回転するピニオンと、
該扉が該閉扉位置に向かって動くときに、該水平枠部に平行な方向における該支持手段の動きにより該ピニオンを該ラックに対して相対的に動かすラック・ピニオン操作手段であって、該閉扉位置の所定手前位置から該閉扉位置に至るときに、該水平枠部に平行な方向における該支持手段の動きに加え、該扉の該垂直軸線の周りでの回転に基づき、該ラックの該ピニオンに対する相対的動きを増大させるようにしたラック・ピニオン操作手段と
を有する請求項１に記載の扉の回動制動装置。
【請求項３】
該垂直軸線を中心に回転可能とされ、該扉に固定された回転シャフトを有し、
該ラック・ピニオン操作手段が、
該支持手段に取り付けられて、該水平枠部に平行な方向に変位可能とされ、該ピニオンを該軸線を中心に回転可能に支持する直線運動部材と、
該直線運動部材と該回転シャフトとを連接し、該回転シャフトの回転運動を該直線運動部材の直線運動に変換する回転・直線運動変換機構であって、該扉が該閉扉位置の所定手前位置から該閉扉位置に至るときに、該水平枠部の該一方の端部から他方の端部に向かう方向での該直線運動部材の該支持手段に対する相対的動きを生じ、それにより、該ラック及びピニオン間の相対的動きを増大させる回転・直線運動変換機構とを有する請求項２に記載の扉の回動制動装置。
【請求項４】
該ラックが、該水平枠部に平行に変位可能とされ、該扉が該閉扉位置の所定手前位置から該閉扉位置に至るときに、該支持部材及び該直線運動部材の一方によって、該水平枠部の該一方の端部に向けて変位されるようにした請求項２又は３に記載の扉の回動制動装置。
【請求項５】
該水平枠部が、１つの回転軸線を中心に回動可能とされたレバーであって、該回転軸線から延びて該ラックに連接された第１アーム部と、該回転軸線から延びて、該扉が該閉扉位置の所定手前位置から閉扉位置となるときに、該支持部材及び該直線運動部材の一方によって係合されて当該レバーを該回転軸線の周りで回動する第２アーム部であって、該支持部材及び該直線運動部材の一方の運動を当該第２及び第1アーム部を介して増幅して該ラックに伝達するようにしたレバーを有する請求項４に記載の扉の回動制動装置。
【請求項６】
扉の回動制動装置であって、
該扉が、開口部を画定する扉枠の上部及び下部の少なくとも一方の水平枠部に沿って移動可能とされた支持手段によって、垂直軸線の周りで回動可能に支持され、
該支持手段が該水平枠部の両端間の所定の位置にあり、且つ、該扉が該水平枠部に平行にされて該開口部を閉じる閉扉位置と、
該支持手段が該水平枠部の該一方の端部に近接して且つ該扉が該水平枠部に対して大きく角度をなして該開口部を開放する開扉位置と
の間で回動しながら変位し、該開口部の開閉を行うようにされており、
該扉の回動制動装置が、
該水平枠部に取り付けられた制動手段であって、静止部材と、該静止部材に対して相対的に動く可動部材とを有し、該可動部材の該静止部材に対する相対的速度の大きさに応じた制動力を、該可動部材にかけるようにされた制動手段と、
該扉が該閉扉位置に向かって変位するときに、該扉の該水平枠部に沿った直線方向での運動及び該垂直軸線の周りでの回転運動の少なくとも一方の運動に基づき該可動部材を動かすための駆動手段であって、該扉が該閉扉位置の所定手前位置から該閉扉位置に至るときに、該一方の運動を増幅して、該可動部材に伝達し、該可動部材を該静止部材に対して相対的に動かすようにした駆動手段と
を有することを特徴とする扉の回動制動装置。
【請求項７】
該駆動手段が、
該水平枠部に平行に延びるようにして、該支持手段に取り付けられたラックと、
該水平枠部に対し直角方向に延びる軸線を中心に回転可能にして該水平枠部に取り付けられ、該可動部材に駆動連結され、該ラックに噛合し、該扉が閉扉位置に向けて変位するときに、該軸線を中心に回転するピニオンと、
該扉が該閉扉位置に向かって動くときに、該水平枠部に平行な方向における該支持手段の動きにより該ラックをピニオンに対して相対的に動かすラック・ピニオン操作手段であって、該閉扉位置の所定手前位置から該閉扉位置に至るときに、該水平枠部に平行な方向における該支持手段の動きに加え、該扉の該垂直軸線の周りでの回転に基づき、該ラックの該ピニオンに対する相対的動きを増大させるようにしたラック・ピニオン操作手段と
を有する請求項６に記載の扉の回動制動装置。
【請求項８】
該垂直軸線を中心に回転可能とされ、該扉に固定された回転シャフトを有し、
該ラック・ピニオン操作手段が、
該支持手段に取り付けられて、該水平枠部に平行な方向に変位可能とされ、該ラックを支持する直線運動部材と、
該直線運動部材と該回転シャフトとを連接し、該回転シャフトの回転運動を該直線運動部材の直線運動に変換する回転・直線運動変換機構であって、該扉が該閉扉位置の所定手前位置から該閉扉位置に至るときに、該水平枠部の該一方の端部から他方の端部に向かう方向での該直線運動部材の該支持手段に対する相対的動きを生じ、それにより、該ラック及びピニオン間の相対的動きを増大させる回転・直線運動変換機構とを有する請求項７に記載の扉の回動制動装置。
【請求項９】
該ピニオンが、該水平枠部に平行に変位可能とされ、該扉が該閉扉位置の所定手前位置から該閉扉位置に至るときに、該支持部材及び該直線運動部材の一方によって、該水平枠部の該一方の端部に向けて変位されるようにした請求項８に記載の扉の回動制動装置。
【請求項１０】
該水平枠部が、１つの回転軸線を中心に回動可能とされたレバーであって、該回転軸線から延びて該ピニオンに連接された第１アーム部と、該回転軸線から延びて、該扉が該閉扉位置の所定手前位置から閉扉位置となるときに、該支持部材及び該直線運動部材の一方によって係合されて当該レバーを該回転軸線の周りで回動する第２アーム部であって、該支持部材及び該直線運動部材の一方の運動を当該第２及び第1アーム部を介して増幅して該ピニオンに伝達するようにしたレバーを有する請求項９に記載の扉の回動制動装置。
【請求項１１】
該回転・直線運動変換機構が、該回転シャフトに固定されたカム部材と、該直線運動部材に固定され、該カム部材の回動に伴って変位されるカム従動部材とからなるカム機構とされている請求項３、４、５、７、８若しくは９に記載の扉の回動制動装置。
【請求項１２】
該カム従動部材が、該回転シャフトよりも該水平枠部の該一方の端部寄りに設けられ、該垂直軸線に面するカム従動面を有し、
該カム部材が、該開扉位置においては、該回転シャフトから該水平枠部に平行に延びた線上にあって該カム従動面と係合し、該閉扉位置においては、該回転シャフトから該水平枠部に直角で水平方向の位置となるようにされている請求項１１に記載の扉の回動制動装置。
【請求項１３】
該扉及び該扉枠、該扉及び扉枠に前記の通り取り付けられた請求項１乃至１２のいずれかに記載の回動制動装置を備えた扉装置。
【発明の詳細な説明】
【技術分野】
【０００１】
本発明は扉に関し、特に、スライドスイング式扉などと呼ばれ、扉枠の上部や下部の水平枠部に沿って移動可能とされた支持手段によって、垂直軸線の周りで回動可能に支持され、閉扉状態から、扉を該垂直軸線の周りで正方向若しくは逆方向に回動させながら、一方の側部枠に寄せることにより扉開口を開放するようにした扉装置及びその扉の回動制動装置に関する。
【背景技術】
【０００２】
この種の扉は、基端が、上述の開扉時に扉が寄せられる側の側部枠に隣接して枢着され、先端が、上部及び下部の扉水平縁部の上述の垂直軸線よりも側部枠寄りの位置で枢着された一対の回動アームを備える。扉が垂直軸線を中心に正方向若しくは逆方向に回動されると、該回動アームもその基端を中心に回動され、それにより、当該扉は閉扉状態のときよりも約９０°回動しながら側部枠に移動させられて、当該扉開口を開くようになっている（特許文献１）。
【０００３】
扉が閉扉位置となるときには、該扉と扉枠との間に人の手などが挟まれないようにするために、該扉が閉扉位置となる直前での扉の動きを緩やかにすることが望まれる。このため、扉の動きに応じて作動する制動装置が種々開発されてきている。
【０００４】
ヒンジ式の扉に関しては、例えば、扉の回転中心軸線に沿って設けられた回転シャフトの回動を油圧ピストン装置のピストンの動きに変え、該ピストンの動きに伴って動く油の動きを制御することにより、当該扉の回動に適宜の制動をかけるようにしたものが開発されている（特許文献２）。
【０００５】
本発明に係るスライドスイング式扉などと呼ばれる扉においても、同様に扉の回転運動を直線運動に変換し、該直線運動に伴い当該扉の制動を行う装置の開発がされている。しかし、扉が閉扉位置となるときの直線移動量はわずかであり、この直線移動量によって十分な制動を得ることは難しい。
【０００６】
【特許文献１】特開２００２−２９５１１８号
【特許文献２】実開平５−４７２８２号
【発明の開示】
【発明が解決しようとする課題】
【０００７】
本発明は、このような点に鑑み、スライドスイング式扉において、扉が閉止する直前の扉の直線移動に対し、より大きな制動を行うことができ、緩やかに閉扉するようにする制動装置及び該制動装置を備えた扉装置を提供することを目的としている。
【課題を解決するための手段】
【０００８】
すなわち、本発明は
開口部を画定する扉枠の上部及び下部の少なくとも一方の水平枠部に沿って移動可能とされた支持手段によって、垂直軸線の周りで回動可能に支持された扉であって、
該支持手段が該水平枠部の両端間の所定の位置にあり、且つ、該扉が該水平枠部に平行にされて該開口部を閉じる閉扉位置と、
該支持手段が該水平枠部の該一方の端部に近接して且つ該扉が該水平枠部に対して大きく角度をなして該開口部を開放する開扉位置と
の間で回動しながら変位し、該開口部の開閉を行う扉の回動制動装置であって、
該水平枠部に平行に延びるように取り付けられたラックと、
該水平枠部に対し直角方向に延びる軸線を中心に回転可能にして該支持手段に取り付けられ、該ラックに噛合し、該扉が該開扉位置と閉扉位置との間で変位するときに該軸線を中心に回転するピニオンと、
該ピニオンの回転に伴って、該ピニオンの回転に対する制動作用を生じる制動装置と、
該扉が該閉扉位置の所定手前位置から該閉扉位置に至るときに、該水平枠部に平行な方向における支持手段の変位量に対する該ラック及びピニオン間の相対的変位量を、該扉が該閉扉位置の所定手前位置に至るまでよりも大きくして該ピニオンの回転数を増大させることにより該制動装置による制動作用を増大させるようにするラック・ピニオン操作手段と
を有する扉の回動制動装置を提供する。
【０００９】
すなわち、この回動制動装置では、該扉が該閉扉位置の所定手前位置から該閉扉位置に至るときに、該水平枠部に平行な方向における支持手段の変位量に対する該ラック及びピニオン間の相対的変位量を、該扉が該閉扉位置の所定手前位置に至るまでよりも大きくして該ピニオンの回転数を増大させることにより該制動装置による制動作用を増大させるようにしており、これにより、支持手段に対して大きな制動が作用し、その結果、扉の回動がゆっくりと閉扉位置に向けて変位するようになる。
【００１０】
具体的には、
該垂直軸線を中心に回転可能とされ、該扉に固定された回転シャフトを有し、
該ラック・ピニオン操作手段が、
該支持手段に取り付けられて、該水平枠部に平行な方向に変位可能とされ、該ピニオンを該軸線を中心に回転可能に支持する直線運動部材と、
該直線運動部材と該回転シャフトとを連接し、該回転シャフトの回転運動を該直線運動部材の直線運動に変換する回転・直線運動変換機構であって、該扉が該閉扉位置の所定手前位置から該閉扉位置に至るときに、該水平枠部の該一方の端部から他方の端部に向かう方向での該直線運動部材の該支持手段に対する相対的動きを生じ、それにより、該水平枠部に平行な方向における支持手段の変位量に対する該ラック及びピニオン間の相対的変位量を、該扉が該閉扉位置の所定手前位置に至るまでよりも大きくするようにした回転・直線運動変換機構と、を有するようにすることができる。
【００１１】
より具体的には、該回転・直線運動変換機構が該回転シャフトに固定されたカム部材と、該直線運動部材に固定され、該カム部材の回動に伴って変位されるカム従動部材とからなるカム機構とすることができる。
【００１２】
該カム従動部材は、該回転シャフトよりも該水平枠部の該一方の端部寄りに設けられ、該回転シャフトに面するカム従動面を有するようにされ、
該カム部材が、該開扉位置においては、該回転シャフトから該水平枠部に平行に延びた線上にあって該カム従動面と係合し、該閉扉位置においては、該回転シャフトから該水平枠部に直角で水平方向の位置となるようにすることができる。
【００１３】
該ラックは、該水平枠部に平行に変位可能とすることができる。
【００１４】
該ラックが、該扉が該閉扉位置の所定手前位置から該閉扉位置に至るときに、直線運動部材によって、該水平枠部の該一方の端部に向けて変位されるようにしてピニオンとの相対的変位を大きくすることができる。
【００１５】
該水平枠部が、１つの回転軸線を中心に回動可能とされたレバーであって、該回転軸線から延びて該ラックに連接された第１アーム部と、該回転軸線から延びて、該扉が該閉扉位置の所定手前位置から閉扉位置となるときに、該直線運動部材によって係合され当該レバーを該回転軸線の周りで回動する第２アーム部であって、該直線運動部材の運動を当該第２及び第1アーム部を介して増幅して該ラックに伝達するようにしたレバーを有するようにすることができる。
【００１６】
本発明はまた、前記扉及び前記扉枠、前記扉及び扉枠に前記の通り取り付けられた前記回動制動装置を備えた扉装置を提供する。
【発明の効果】
【００１７】
本発明によれば、扉が閉扉位置の所定手前位置から閉扉位置に至るときに、水平枠部に平行な方向における支持手段の変位量に対するラック及びピニオン間の相対的変位量を、扉が該閉扉位置の所定手前位置に至るまでよりも大きくしてピニオンの回転数を増大させるようにしているので、それにより該制動装置による制動作用を増大させ、支持手段に対して大きな制動を作用させるようにすることができ、その結果、扉の回動がゆっくりと閉扉位置に向けて変位するようにすることができる。
【発明を実施するための最良の形態】
【００１８】
以下、本発明に係る扉装置の実施形態を添付図面に基づき説明する。
【００１９】
図１は、本発明に係る扉回動制動装置が取り付けられる扉装置１０の基本構造を示している。図1の扉装置１０は、上部及び下部の水平枠部１２、１４、及び、側部枠１６、１８を備える扉枠と、該扉枠内に設定された扉２０と、該扉２０の上部及び下部の扉水平縁部２４、２６及びそれに対応する水平枠部１２、１４の間に設定された枢動アーム２８、３０とを備えている。
【００２０】
扉２０は、上部の水平枠部１２に設けられたレール３１に沿って移動可能とされた支持手段３４に対し、該支持手段３４の中央部分を通る垂直軸線３６を中心とする回転シャフト３５により回動可能に支持されている。下部の水平枠部１４には、レール３1に対応するレール溝３３が設けられ、扉水平縁部２６に垂直軸線３６に沿って設けられたガイドピン３５´が該レール溝に沿って案内されるようになっており、回転シャフト３５と共同して扉２０が垂直中心回転軸線３６の周りで回動可能なるようにすると共に、上部及び下部の水平枠部１２、１４に沿って移動可能となるようにしている。
【００２１】
図示の例では、枢動アーム２８、３０は、図１及び図２Ａに示すように、一端が扉枠に固定された枢軸部３８により枢動可能に支持され、他端が扉２０の扉水平縁部２４、２６に枢着されているが、枢動アーム２８、３０を柱に枢着しても良く、この場合は、ガイドピン３５´と下部の水平枠部１４のレール溝３３は必ずしも設ける必要はない。
【００２２】
この扉装置では、図２Ａに示されるように、閉扉位置にある扉２０ａが、垂直中心回転軸線３６の周りで回動されると、枢動アーム２８、３０が枢軸部３８の周りで回動して、扉を該枢軸部３８側に引き寄せる。図２Ａにおいては、閉扉位置にある扉２０ａが、垂直中心回転軸線３６の周りで反時計方向に回動されて実線で示す開扉位置２０ｂが示されているが、垂直中心回転軸線３６の周りで反対方向、すなわち時計方向に回動されて開扉位置２０ｂと同様の開扉位置とすることができるようになっている。
【００２３】
本発明に係る扉回動制動装置は、以上のような基本構成を有するドア装置につけられるものであり、図２Ａ乃至図１０に基づき説明する。
【００２４】
先ず、扉回動制動装置を取り付けるため、支持手段３４は、特に図６に示すような構成とされる。すなわち、該支持手段３４は、ガイドレール３１に転動可能に設定された一対のローラ４４、４４を支持する支持板部４６と、該支持板部４６の下部に固定されたベースフレーム部４８とを備え、該ベースフレーム部４８は、下部板部５０、上部板部５２、左端板部５４、右端板部５６を有している。
【００２５】
扉２０に固定された回転シャフト３５は、該ベースフレーム部４８の下部板部５０を貫通して上方へ伸張し、軸受５３により垂直中心回転軸線３６を中心に回転可能で且つ軸線方向には変位しないようにして支持されている。
【００２６】
下部板部５０上には、直線運動部材５８が図６で見て左右方向に摺動可能に支持されている。すなわち、該直線運動部材５８は、図６で見て右端にある垂直部６０と、該垂直部６０から左方へ水平に延びる矩形状の本体部６１（図９、図１０）と、該本体部６１の左端縁から左方に延びてベースフレーム部４８の左端板部５４に該左端板部の上端縁から下方に凹むように形成された凹部６３（図８）を通り延出している延出部６２とを有している。ベースフレーム４８の右端板部５６には、その幅方向で間隔をあけて配置され水平に延びるガイドピン６４、６４（図６、図９、図１０）が設けられており、該ガイドピンは直線運動部材５８の垂直部６０に設けた摺動孔（図示せず）に通され、該直線運動部材の左右方向での運動をガイドするようになっている。直線運動部材５８の図６で見て中央部分近くには、移動バネ支持板５９が固定されており、コイルバネ６５が該移動バネ支持板５９とガイドピン７０に固定された固定バネ支持板６６との間に圧縮設定されており、直線運動部材５８を図６で見て左方に付勢している。ガイドピン７０は、一端が固定バネ支持板６６に固定され、コイルバネ６５内を延び、移動バネ支持板５９を貫通して左端板部５４に固定され、該移動バネ支持板５９を案内する。
【００２７】
回転シャフト３５には、図９に示すようにカム支持部材７２が固定されており、該カム支持部材７２には、回転シャフト３５を中心として直径方向で対向する位置で、垂直に延びる軸線を中心として回転可能に配置されたカム部材７４、７４、図示の例では、ラジアルベアリング（図９、図１０）が取り付けられている。
【００２８】
直線運動部材５８の本体部６１には、図９及び図１０に示すような開口７６が形成されている。開口７６の右端縁７８は直線運動部材５８の運動方向に対して直角方向に延びており、該直線運動部材５８が前述のコイルバネ６５によって左方に向けて付勢されており、該右端縁７８が常時、カム部材７４、７４に押圧された状態とされている。換言すれば、カム部材７４、７４の位置（従って、扉の回動位置）によって、直線運動部材５８の左右方向での位置が決定されている（このことはまた、コイルバネ６５は、カム部材７４、７４を図９の位置から図１０の位置になるように付勢し、従って、該コイルバネ６５は、開かれた扉を閉扉する、いわゆるクローザとして作用していることを意味する。尚、このコイルバネは、他の付勢手段に置き換えることが出来る）。開口７６は、カム部材７４、７４の動きを邪魔しないような形とされており、また、直線運動部材５８がベースフレーム部４８に対して相対的に変位するときに、固定バネ支持板６６が、該直線運動部材５８の変位を邪魔しないような形とされている。
【００２９】
直線運動部材５８の延出部６２には図６、図８に示すようにピニオン支持手段８０が固定されており、該支持手段８０にはピニオン８２が、直線運動部材の変位方向とは直角で水平方向に延びる軸線を中心に回転可能に支持されている。また、該ピニオン支持手段８０には、ピニオン８２の回動に基づいて制動作用を生じる流体式制動装置８１が設けられている。該流体式制動装置８１は、ピニオン８２が図６で見て時計方向に回転するときに、該ピニオンの回転軸によって制動部材（図示せず）が駆動され、該ピニオンの回転速度に応じた制動力を生じ、反時計方向に回転するときには、制動作用が生じないようになっている。流体式制動装置８１は、一般的に知られているものを使用することができ、ここでは、その詳細は省略する。なお、この流体式制動装置に代えて、例えば、逆起電力を利用したもの、磁力を利用したもの、摩擦力を利用したもの等、他の形式の制動装置を使用することも可能である。
【００３０】
ピニオン支持手段８０は、ガイドレール３１に摺動係合され、該ガイドレールに沿って摺動するようになっている。また、該ガイドレール３１には、上記ピニオン８２に噛合するラック８４が水平方向に摺動可能に設定されている（図２Ｂ、図３Ｂ、図４Ｂ、図５Ｂ、図６〜図８）。図２Ｂ、図３Ｂ、図４Ｂ及び図５Ｂに示すように、ガイドレール３１には、ラック作動レバー８８が該ガイドレール３１に対して直角方向で水平方向に延びる軸線を中心に回動可能に取り付けられている。扉が図２Ａ、図２Ｂで２０ｂで示す開扉位置から、図５Ａ及び図５Ｂに示す閉扉位置へ向かい変位を始め、図３Ａ及び図３Ｂに示すようにピニオン８２がラック８４と噛合するようになると、ピニオン８２はその回転軸線を中心に回転しようとするが、制動装置８１の制動力が作用するので、自由な回転はできないため、該ピニオンと噛合しているラック８４は図２Ｂの位置から左方向へ動かされ、これに伴い該ラックに先端が枢着されているラック作動レバー８８が枢軸８９の周りで反時計方向に回動される（図３Ｂ）。ラック作動レバー８８は図４Ｂの位置まで回動されると、それ以上回動することは出来ないので、ラックはその位置に留まる。扉がさらに閉扉位置に向けて進み、該閉扉位置に至る前の所定手前位置（図４Ａ、図４Ｂ）になると直線運動部材５８の延長部６２の先端がラック作動レバー８８に係合し（図４Ｂ）、該所定手前位置から閉扉位置（図５Ａ、図５Ｂ）に近づくに従い、該ラック作動レバー８８を枢軸８９の周りで時計方向に回動し、ラック８４を右方向に変位する。図示のように、該レバー８８は、ガイドレール３１に取り付けられている枢軸８９からラック８４との接合位置までの第１レバー部の長さは、枢軸８９から延び直線運動部材５８の延長部６２によって係合される第２レバー部の長さの２倍以上となっており、直線運動部材５８の動きを倍増してラック８４に伝達するようになっている。尚、ラック８４をバネなどによって左方向に付勢し、ラック８４を図４Ｂに示す位置に設定するようにもできる。
【００３１】
本発明に係る扉装置において、扉を開扉位置（図２Ａ、図２Ｂ）から閉扉位置に動かした場合には、以下のようにして、扉が閉扉位置に至る所定手前位置から閉扉位置までの動きが緩和される。
【００３２】
すなわち、扉が、閉扉位置の所定手前位置まで動かされたときに直線運動部材５８の延長部が該レバー８８に係合し、扉が閉扉位置（図５Ａ、図５Ｂ）にいたるまでの間、ラック８４を右方へ動かす。これは、ピニオン８２の回転速度を大きくすることを意味し、従って、該ピニオンにより作動される制動装置の制動力が増大する。更に、カム部材は、扉が開扉位置から閉扉位置に動くときに、支持手段３４のベースフレーム４８に対して、サイン関数的な動きとなり、従って、扉が閉扉位置に近づいたときに直線運動部材に対する相対的運動がもっとも大きくなり、直線運動部材（従って支持手段３４）に対して相対的に左方へ大きく変位する。ピニオンはこのような動きによっても、それまでよりも回転速度が大きくなる。
【００３３】
従って、以上に説明した扉装置においては、扉の閉扉位置間際での動きを緩やかにすることができる。
【００３４】
以上、本発明の実施形態につき説明したが、本発明はこれに限定されるものではなく、例えば、上述のラック／ピニオンによって駆動される制動手段に代えて、水平枠部にシリンダ・ピストン手段、及び、該シリンダ・ピストン手段のピストンに連接された（レバー８８と同様の）レバーを設け、扉が閉扉される直前に、該レバーが作動されて、扉の動きを倍増してシリンダ・ピストン手段のピストンを駆動して、該ピストンに係る制動力を用いて扉の変位に対する制動をかけるようにしたものとすることができる。
【図面の簡単な説明】
【００３５】
【図１】閉扉状態にある本発明に係る扉装置を正面から見た概要図である。
【図２Ａ】図１の扉装置を上から見た状態で、扉が閉扉位置と開扉位置との間で動く状態を示している。
【図２Ｂ】図２Ａで扉が開扉位置にあるときの扉回動制動装置を正面から見た概要図である。
【図３Ａ】扉が開扉位置から閉扉位置へ向かい変位したときの図１と同様の図である。
【図３Ｂ】扉が図３Ａの位置とされ、ピニオンがラックと接触したときの扉回動制動装置を正面から見た概要図である。
【図４Ａ】扉が図４Ａからさらに閉扉位置へ向かい変位した状態の図１と同様の図である。
【図４Ｂ】扉が図６Ａの位置とされ、ラック作動レバーが直線運動部材の延長部の先端と接触したときの扉回動制動装置を正面から見た概要図である。
【図５Ａ】扉が閉扉位置にあるときの図１と同様の図である。
【図５Ｂ】扉が図５Ａの閉扉位置にあるときの扉回動制動装置を正面から見た概要図である。
【図６】本発明に係る扉形動制動装置が図３Ｂにあるときの要部拡大図である。
【図７】図６の左側面図であり、ドアの支持手段を示すため、ピニオン及びそれに関係するエレメントは省略して示してある。
【図８】図６の左側面図である。
【図９】図６におけるＩＸ−ＩＸ線に沿ってみた図で、扉が開扉状態にあるときの扉の支持手段におけるベースフレーム部と直線運動部材との関係を示す図である。
【図１０】扉が閉扉状態にあるときの扉の支持手段におけるベースフレーム部と直線運動部材との関係を示す図９と同様の図である。
【符号の説明】
【００３６】
扉装置                      １０
上部水平枠部                １２
下部水平枠部                １４
側部枠                      １６、１８
扉                          ２０
扉水平縁部                  ２４、２６
枢動アーム                  ２８、３０
ガイドレール                ３１
レール溝                    ３３
扉の支持手段                ３４
ガイドピン                  ３５´
回転シャフト                ３５
垂直軸線                    ３６
枢軸部                      ３８
ローラ                      ４４、４４
支持板部                    ４６
ベースフレーム部            ４８  
下部板部                    ５０
上部板部                    ５２
軸受                        ５３
左端板部                    ５４
右端板部                    ５６  
直線運動部材                ５８
移動バネ支持板              ５９
垂直部                      ６０
本体部（カム従動部材）      ６１
延出部                      ６２
凹部                        ６３
ガイドピン                  ６４
コイルバネ                  ６５
固定バネ支持板              ６６
ガイドピン                  ７０
カム支持部材                ７２
カム部材                    ７４、７４
開口                        ７６
右端縁（カム従動面）        ７８
ピニオン支持手段            ８０
流体式制動装置              ８１
ピニオン                    ８２
ラック                      ８４
ラック作動レバー            ８８
枢軸                        ８９
【図１】
2007218005.tif 000003
【図２Ａ】
2007218005.tif 000004
【図２Ｂ】
2007218005.tif 000005
【図３Ａ】
2007218005.tif 000006
【図３Ｂ】
2007218005.tif 000007
【図４Ａ】
2007218005.tif 000008
【図４Ｂ】
2007218005.tif 000009
【図５Ａ】
2007218005.tif 000010
【図５Ｂ】
2007218005.tif 000011
【図６】
2007218005.tif 000012
【図７】
2007218005.tif 000013
【図８】
2007218005.tif 000014
【図９】
2007218005.tif 000015
【図１０】
2007218005.tif 000016